(57)【要約】      （修正有）【課題】環境への負荷を考慮した安価な植木鉢を提供する。【解決手段】植木鉢１は、底部２に排水用の孔３を有し底部２に向かうにつれ窄まる有底筒状体となっている。植木鉢１は、材質がモルタル製となっており肉厚が約１ｃｍとなっている。材質がモルタル製であるため、廃棄時における環境への負荷を小さくでき、さらに構成物質がありふれた材質であるため安価に制作することもできる。また、肉厚が約１ｃｍと薄く形成されているため、軽量であって持ち運びに便利であり外観上の見栄えもよい。【選択図】図１
0003233483.tif 000002
【実用新案登録請求の範囲】
【請求項１】
底部（２）に排水用の孔（３）を有し前記底部に向かうにつれ窄まる有底筒状体の植木鉢（１）において、
材質がモルタル製またはコンクリート製であり肉厚が２ｃｍ以下であることを特徴とする植木鉢。
【請求項２】
請求項１に記載の植木鉢において、
外形が有底多角錐台筒状体であることを特徴とする植木鉢。
【請求項３】
請求項１または請求項２に記載の植木鉢において、
側壁部（４）の開口端部の肉厚を外径側に張り出すように厚くする桟部（５）が形成されていることを特徴とする植木鉢。
【考案の詳細な説明】
【技術分野】
【０００１】
本考案は、植物を植える植木鉢に関する。
【背景技術】
【０００２】
従来、植物を植える植木鉢としては、軽量安価なプラスティック製のものが主流で一般的に販売されている。しかし、プラスティック製の植木鉢は廃棄時においても分解されることなくいつまでも残り続けてしまうため環境への負荷が過大で近年大きな問題となっている。
【０００３】
そこで、廃棄時における環境への負荷を低減させる材質として陶器製の植木鉢もあるが、一般的に陶器製の植木鉢は多数の工程を経て形成されるためどうしても高価なものとなってしまう（例えば、特許文献１参照。）。
【先行技術文献】
【特許文献】
【０００４】
【特許文献１】特開２０１４−２１７３２４号公報
【考案の概要】
【考案が解決しようとする課題】
【０００５】
本考案は、上記の問題点を解決するためになされたものであり、環境への負荷を考慮した安価な植木鉢を提供することにある。
【課題を解決するための手段】
【０００６】
本考案によれば、植木鉢は、底部に排水用の孔を有し底部に向かうにつれ窄まる有底筒状体となっている。
そして、材質がモルタル製またはコンクリート製であり肉厚が２ｃｍ以下となっている。
【０００７】
これにより、材質がモルタル製またはコンクリート製であるため、廃棄時における環境への負荷を小さくでき、さらに構成物質がありふれた材質であるため植木鉢を安価に製作することもできる。
また、肉厚が２ｃｍ以下と薄く形成されているため、軽量であって持ち運びに便利であり外観上の見栄えもよい。
【０００８】
また、材質がモルタル製またはコンクリート製であるため、植木鉢内の土壌環境が植物の生育環境として不適切な酸性状態となっても自然に中和され、植木鉢内の土壌環境を植物の生育に適切な弱アルカリ状態に維持することも可能となっている。
【図面の簡単な説明】
【０００９】
【図１】植木鉢の斜視図である（第１実施例）。
【図２】植木鉢の斜視図である（第２実施例）。
【考案を実施するための形態】
【００１０】
以下、考案を実施するための形態を実施例に基づいて説明する。
【実施例】
【００１１】
［第１実施例］
本考案の第１実施例による植木鉢１を図１に示す。
なお、以下の実施例は具体的な一例を開示するものであり、本考案が以下の実施例に限定されないことは言うまでもない。
【００１２】
植木鉢１は、底部２に排水用の孔３を有し底部２に向かうにつれ窄まる有底筒状体となっている。
より具体的には、植木鉢１は有底八角錐台筒状体となっている。なお、有底八角錐台筒状体とは、八角錐台の内部が開口部を形成するようにくりぬかれた有底筒状体のことである。
なお、植木鉢１の開口端部の直径は約２４ｃｍとなっており、所謂８号サイズとなっている。
【００１３】
ここで、植木鉢１は、材質がセルロース繊維と植物由来の有機質繊維の添加されたモルタル製となっている。
また、各部の肉厚は約１ｃｍとなっている。
【００１４】
［第１実施例の効果］
植木鉢１は、底部２に排水用の孔３を有し底部２に向かうにつれ窄まる有底八角錐台筒状体となっている。
そして、材質がセルロース繊維と有機質繊維の添加されたモルタル製であり肉厚が約１ｃｍとなっている。
【００１５】
これにより、材質がセルロース繊維と有機質繊維の混入したモルタル製であるため、廃棄時における環境への負荷を小さくでき、さらに構成物質がありふれた材質であるため植木鉢１を安価に製作することもできる。
なお、セルロース繊維と有機質繊維は強度増加を目的として母材であるモルタルに添加されている。
また、肉厚が約１ｃｍと薄く形成されているため、軽量であって持ち運びに便利であり外観上の見栄えもよい。
【００１６】
また、植木鉢１は底部２に向かうにつれ窄まっているため、開口側への型抜きがしやすくなっており生産性がよい。
また、高さ方向に複数積んだ際も互いに嵌まり込むことで高さ方向に重なり領域ができるため高さ方向の占有領域が少なくて済む。
このため、大量生産、大量保管に適した構成となっている。
【００１７】
また、植木鉢１は、有底八角錐台筒状体となっているため、側壁部４の外周面が平面となっており、平滑化させやすくなっている。
これにより、表面処理を施しやすく、外観上の美観を向上させることも容易である。
【００１８】
さらに、材質がモルタル製であるため、植木鉢１内の土壌環境が植物の生育環境として不適切な酸性状態となっても自然に中和され、植木鉢１内の土壌環境を植物の生育に適切な弱アルカリ状態に維持することも可能である。
【００１９】
［第２実施例］
本発明の第２実施例による植木鉢１を図２に示す。
第２実施例においては、第１実施例と異なる部分を中心に説明する。
なお、図中第１実施例と同一機能物には、同一符号を付して表している。
【００２０】
植木鉢１は、側壁部４の開口端部の肉厚を外径側に張り出すように厚くする桟部５が形成されている。
なお、桟部５を含む側壁部４の部分の肉厚は２ｃｍ以下となっており、桟部５を含まない側壁部４の肉厚は約１ｃｍとなっている。
【００２１】
［第２実施例の効果］
植木鉢１は、側壁部４の開口端部の肉厚を外径側に張り出すように厚くする桟部５が形成されている
これにより、桟部５を持ち手とすることで植木鉢１の持ち運びを容易に行うことができる。
なお、桟部５の部分は全体として肉厚が厚くなっているため、強度が向上しており、持ち運びの際の破損の発生を抑制することができる。
【００２２】
また、高さ方向に植木鉢１を複数重ねた際でも、全体として肉厚が厚くなり強度の向上した桟部５が重なり合うことで荷重を支持できるため高さ方向に複数の植木鉢１を積み重ねた際における破損の発生を抑制することができる。
このため、より多くの植木鉢１を積み重ねることができるため、より大量保管に適している。
【００２３】
［変形例］
本考案は、その要旨を逸脱しない範囲で様々な変形例を考えることができる。
実施例においては、植木鉢１の材質は、セルロース繊維と有機質繊維の添加されたモルタル製であったが、ポリプロピレン繊維、炭素繊維、ガラス繊維等の他の繊維材を添加するものであってもよい。
なお、繊維材としては、廃棄時の環境への負荷を考慮して生分解性の材質であることが好ましい。
【００２４】
実施例においては、外形が有底八角錐台筒状体であったが、この構成に拘るものでなく、外形を有底円筒筒状体、有底三角錐台筒状体等としてもよい。
なお、外形を有底三角錐台筒状体、有底四角錐台筒状体、有底六角錐台筒状体とした場合、平面内にもより密に配置することができるため、より大量保管に適した構成となる。
【００２５】
１  植木鉢  ２  底部  ３  孔  
【図１】
0003233483.tif 000003
【図２】
0003233483.tif 000004